(57)【要約】【課題】壁掛け及び横置きの双方に対応し且つ取付け後も外観の見栄えが良い取付け装置を提供すること目的とする。【解決手段】本体取付部４及び配線処理部６からなる取付け体２と、前記本体取付け部４に着脱自在に取付けられる機器本体３と、前記配線処理部６に着脱自在に取付けられる化粧カバー５と、電線等を被取付面１内に引き込むために前記取付体２に設けられた納線孔７とからなり、取付けネジを介して被取付け面１にこの取付け体を固定することにより、取付け手間が少なく、且つ、化粧カバーで配線が隠され外観が良くなる。【選択図】  図１
2004274678.tif 000002
【特許請求の範囲】
【請求項１】
機器本体を着脱可能な本体取付部と配線処理部とを有する取付体と、前記配線処理部に着脱自在に取付けられるカバーとを有し、取付ネジを介して被取付面に前記取付体を固定することを特徴とする取付装置。
【請求項２】
取付体と挟み具とを被取付面を間にして配置し、取付ネジにより前記取付体と挟み具を被取付面に挟着することを特徴とする請求項１記載の取付装置。
【請求項３】
請求項１または２記載の取付装置を用いて被取付面に取付けたネットワーク機器。
【発明の詳細な説明】
【０００１】
【発明の属する技術分野】
本発明は、ホームゲートウェイ、ルータ、電話機等のように家屋等の壁面に取付けて使用される取付装置に関するものである。
【０００２】
【従来の技術】
従来、電話機等やインターホンの受話器などの機器を家屋の壁面に取付ける場合などには、壁面に取付け用の板状をした取付装置を介して行なう場合が多い。この壁面取付用の取付装置には、機器の被取付面、例えば壁面、に固定されこの機器本体を本体取付部を備えた取付体の上下部分にネジ穴を設け、取付ネジ挿通させることにより、取付体を被取付面の開口孔が形成された位置に固定できるようにしたものがある。
【０００３】
また、機器本体取付部に係合された機器本体に電力を供給するための電線は背面から取付体の配線用の配線孔を通して被取付面内、通常家屋等では壁面内、に引き込むことができるようになっている。
【０００４】
すなわち、機器本体を本体取付部に取付けることで、取付体を含め電線および開口孔は隠されるよう構成されている（例えば、参考文献１）。
【０００５】
また、使用者のニーズを考えて壁掛および横置き兼用の構造を備えた電話機などの機器（例えば、参考文献２）がある。使用者が求めやすいものにするために、一番簡易な構造としては電線を本体の底面（壁掛時）から出すようにしたものがある。
【０００６】
【特許文献１】
特開平０７−２５０１４２号公報（第３頁第１０行〜第１２行、第１図）
【特許文献２】
特開平０１−２６１９５７号公報（第２図）
【０００７】
【発明が解決しようとする課題】
しかしながら上記従来の機器本体の背面すなわち被取付面に面する本体面から出る配線を被取付面内に引き込むように構成したものでは、機器背面から配線が出ているため横置きには適さない。従って、壁掛け専用となる。
【０００８】
また、壁掛時には被取付面に取付体を固着させるための２箇所の孔と、電線等を前記被取付面内に引き込むための孔（開口孔）とを少なくとも３箇所の孔を開ける必要がある。そのために撤去時には孔が残り外観の見栄えがよくない。
【０００９】
対策としては、壁紙を貼りかえる、専用のプレートを覆い被せる等があるが、壁紙を貼りかえるには時間およびコストがかかり、また専用のプレートは入手するのは困難である場合が多いので面倒である。
【００１０】
また、壁掛および横置き兼用の構造にするために配線を本体の底面から出す構造では、機器を壁掛した時に配線およびその孔が見えてしまい、外観の見栄えがよくない。
【００１１】
本発明は、このような従来の課題を解決するものであり、壁掛および横置きの双方に対応し且つ取付後も外観的に見栄えがよい取付装置を提供することを目的とする。
【００１２】
【課題を解決するための手段】
上記の課題を解決するために本発明は、機器本体を着脱可能な本体取付部と配線処理部とを有する取付体と、前記配線処理部に着脱自在に取付けられるカバーとを有し、取付ネジを介して被取付面に前記取付体を固定する。
【００１３】
係る構成とすると、本体取付部と配線処理部が一体に形成されているため、取付手間が少なく、且つ化粧カバーを取付けることにより配線が隠されるため、外観の見栄えも良い。
【００１４】
【発明の実施の形態】
上記の目的を達成するために本発明は、本体取付部および配線処理部からなる取付体と、前記本体取付部に着脱自在に取付けられる機器本体と、前記配線処理部に着脱自在に取付けられる化粧カバーと、電線等を被取付面側に引き込むために前記取付体に設けられた納線孔とからなり、取付ネジを介して被取付面に前記取付体を固定することを特徴とするものである。
【００１５】
この構成により、コスト的によい壁掛および横置き兼用の機器本体の構造にすることができ、かつ本体取付部と配線処理部が一体に形成されているため、取付手間が少なく、しかも化粧カバーを取付けることにより配線が隠されるため、外観の見栄えもよい。
【００１６】
また、本体取付部、配線処理部を有する取付体を夫々個別的に用意することにより、被取付面に多くの孔を開けることもない。
【００１７】
また本発明は、被取付面を間に取付体と挟み具を介在させ、取付ネジによりこれら取付体と挟み具を被取付面に挟着することを特徴とするものである。
【００１８】
この構成により、被取付面に開けられる孔は１つでよく、その孔を所定の大きさ内に定めることにより、撤去時に市販のプレートでも上記取付方法で覆い被せることができるため、取付け後も撤去後も外観的に見栄えがよい。
【００１９】
また、家屋内に開けられたコンセントなどの従来の孔を利用することができるとともに、従来の器具を利用できる構成であるため、新たに器具を用意する手間もなく且つコスト的にもよい。
【００２０】
また本発明は、上記の取付装置を用いて被取付面に取付けたネットワーク機器である。
【００２１】
この構成により、ホームゲートウェイのようなネットワーク機器を壁掛や横置きに任意に設置できるとともに、設置後も撤去後も外観的に見栄えがよい。また、従来の器具を利用できる構成であるため、新たに器具を用意する手間もなく且つコスト的にもよい。
【００２２】
【実施例】
（実施例１）
図１、図２において、１はネットワーク機器等の配線機器を取付けようとする被取付面であり、２は前記被取付面１に固定される取付体である。
【００２３】
前記取付体２は、機器本体３を着脱自在に取付ける本体取付部４と化粧カバー５を着脱自在に取付ける配線処理部６とを一体に形成したもので、電線などを被取付面１内に引き込むための配線孔７や、被取付面１に固定させる際に取付けネジを挿通させるための取付孔（不図示）をも備えている。
【００２４】
この取付体２を被取付面１に固定する際には、被取付面１に所定の大きさに開けられた開口孔（不図示）をまず設ける必要がある。前記開口孔に機器本体３からの配線を引き込み接続をするためである。
【００２５】
前記被取付面１の開口孔に合せて取付体２を取付ネジを介して被取付面１に固定し、前記取付体２の本体取付部４と配線処理部６の夫々に機器本体３と化粧カバー５を取付ける。夫々の取付部は、嵌合させるような仕組み、図１に示すような取付ネジ１本で取付けられる仕組み、折り込みの爪を設け嵌め込む仕組みなどの如何なる仕組みであっても良い。
【００２６】
また前記機器本体３は、図１、図３に示すように機器本体の底面から電線がでるような構造になっている。
【００２７】
以上の構成において、取付体２に取付られた機器本体３からの電線は、取付体２の配線孔７、被取付面１の開口孔を介して被取付面１内に引き込まれ、その後にこれらの電線や開口孔を覆い被せるように前記取付体２の配線処理部６に化粧カバー５を取付ける。
【００２８】
このように本体取付部４と配線処理部６からなる取付体２を有することにより、壁掛時に配線または開口孔が見え外観的によくないという問題が解決できるため、コスト的によい壁掛および横置き兼用の機器本体３の構造、それを含んだ取付装置にすることができる。
（実施例２）
図４、図５において特徴とする構成は、被取付面１を間に取付体２と挟み具８を介在させ、取付ネジ９によりこれら取付体２と挟み具８を被取付面１に挟着することを特徴とするものである。
【００２９】
本実施例の取付装置を組み立てるには、初めに取付体２の取付孔１０から挿通した取付ネジ９の先端を挟み具８上部のネジ孔１１にねじ込み、前記挟み具８を被取付面１の開口孔１２に挿通した後に、取付体２の配線孔７から手などを入れ挟み具８の形を整えてから前記取付体２の取付孔１０から挿通した取付ネジ９を挟み具８下部のネジ孔１１に入れ、次いで全ての取付ネジ９を締め付ける。
【００３０】
このように取付体２を被取付面１に挟着させた後に、取付体２の本体取付部４に機器本体３を取付け、前記機器本体３からの電線を取付体２の配線孔７に挿通し被取付面１内に引き込み配線し、次いで化粧カバー５を取付体２の配線処理部６に取付けて本実施例の取付装置の組み立てを完了とする。
【００３１】
なお、従来の家屋内のコンセントなどに利用されてきた孔を被取付面１の開口孔１２として用いてもよい。
【００３２】
または、市販の挟み具の寸法やプレート（カバー）のサイズを考慮して定められた所定の大きさの孔を開け、それを被取付面１の開口孔１２として用いてもよい。
【００３３】
以上の構成において、被取付面１には開口孔１２を１つだけ用意すれば取付けることができ、他に被取付面１に開けられるあながないために、被取付面１があなぼこにならないし、撤去時にも市販のプレートを用いて開口孔１２を覆うことができる。
【００３４】
その結果、取付け後も撤去後も外観が損なわれることがないし、市販部品や従来のコンセントなどの孔、コンセントなどを取付ける際に用いられてきた部品をも用いることことができるため、コスト的にも良いし取付ける手間および準備も少なくすむ。また、同構造を用いて設計された他の機器（ホームゲートウェイなどのネットワーク機器等）や取付装置（ネットワーク機器の取付装置等）とも容易に置き換えすることができる。
【００３５】
【発明の効果】
本発明によれば、本体取付部および配線処理部からなる取付体と、前記本体取付部に着脱自在に取付けられる機器本体と、前記配線処理部に着脱自在に取付けられる化粧カバーとを有し、取付ネジを介して被取付面に前記取付体を固定することにより、コスト的によい壁掛および横置き兼用の機器本体の構造にすることができ、かつ取付後も化粧カバーで配線または開口孔が覆われるため、外観の見栄えもよい。
【図面の簡単な説明】
【図１】本発明の実施例における取付装置の側面図
【図２】本発明の実施例１における取付装置の正面図
【図３】本発明の実施例１における取付装置の斜視図
【図４】本発明の実施例２における取付装置の取付過程を示す図
【図５】本発明の実施例２における取付体を被取付面に挟着する過程を示す図
【符号の説明】
１  被取付面
２  取付体
３  機器本体
４  本体取付部
５  化粧カバー
６  配線処理部
７  配線孔
８  挟み具
９  取付ネジ
１０  取付孔
１１  ネジ孔
１２  開口孔
【図１】
2004274678.tif 000003
【図２】
2004274678.tif 000004
【図３】
2004274678.tif 000005
【図４】
2004274678.tif 000006
【図５】
2004274678.tif 000007